(57)【要約】【課題】表示モジュールが安定的に収容された表示装置を提供する。【解決手段】本発明による表示装置は、表示パネルと、バックライトユニットと、前記表示パネルと前記バックライトユニットとの間に配置されて前記表示パネルを支持し、前記非表示領域と重畳する延長部、及び、前記延長部から折曲されて前記表示領域と平面上で重畳する開口部を定義し、収容溝を含む支持部を含むモールドフレーム、前記表示パネル及び前記モールドフレームとの間に配置されるガイド部材、及び前記表示パネルと前記ガイド部材を付着する接着部材を含み、前記ガイド部材は、前記収容溝に配置され、前記接着部材に比べ相対的にリジッドであることを特徴とする。【選択図】図２
2019194681.tif 000002
【特許請求の範囲】
【請求項１】
表示領域、及び前記表示領域に隣接した非表示領域を含み、前記表示領域に配置されて映像を提供する画素を含む表示パネルと、
前記表示パネルに光を提供するバックライトユニットと、
前記表示パネルと前記バックライトユニットとの間に配置されて前記表示パネルを指示し、前記非表示領域と重畳する延長部、及び、前記延長部から折曲されて前記表示領域と平面上で重畳する開口部を定義し、収容溝を含む支持部を含むモールドフレームと、
前記表示パネル及び前記モールドフレームとの間に配置されるガイド部材と、
前記表示パネルと前記ガイド部材を付着する接着部材と、を含み、
前記ガイド部材は、
前記収容溝に配置され、前記接着部材に比べ相対的にリジッドなことを特徴とする表示装置。
【請求項２】
前記ガイド部材は、金属又はプラスチックを含むことを特徴とする請求項１に記載の表示装置。
【請求項３】
前記収容溝は、前記表示パネルと接触する前記支持部の上面に定義され、
前記収容溝は、前記支持部の一部が除去されて定義されることを特徴とする請求項１に記載の表示装置。
【請求項４】
断面上において、前記収容溝の形状は前記ガイド部材の形状に対応することを特徴とする請求項３に記載の表示装置。
【請求項５】
前記ガイド部材及び前記収容溝は複数で提供され、
前記収容溝は、前記開口部の縁に沿って互いに離隔して配置されることを特徴とする請求項４に記載の表示装置。
【請求項６】
前記収容溝は、前記開口部を囲む閉ライン状を有することを特徴とする請求項３に記載の表示装置。
【請求項７】
前記ガイド部材は、前記収容溝の前記閉ライン状に対応する形状で提供されることを特徴とする請求項６に記載の表示装置。
【請求項８】
前記ガイド部材は、前記表示パネルの厚さ方向に延長された第１ガイド部、及び前記第１ガイド部から折曲されて前記表示パネルと平行をなす第２ガイド部を含み、
前記接着部材は、前記第２ガイド部と前記表示パネルを結合することを特徴とする請求項１に記載の表示装置。
【請求項９】
前記収容溝の深さは、前記接着部材と前記ガイド部材の厚さの和より大きいか同じであることを特徴とする請求項１に記載の表示装置。
【請求項１０】
前記ガイド部材と前記支持部を結合する追加の接着部材を更に含み、
前記収容溝の深さが前記接着部材と前記ガイド部材の厚さの和より大きく、前記追加の接着部材は、接着部材と前記支持部の離隔空間の間に配置されることを特徴とする請求項９に記載の表示装置。
【請求項１１】
前記ガイド部材は、断面上において多角形状を有することを特徴とする請求項１に記載の表示装置。
【請求項１２】
前記表示パネルは、互いに対向する第１基板、第２基板、及び前記第１基板と前記第２基板との間に配置される液晶層を含み、
前記接着部材は、前記第２基板と前記ガイド部材を付着することを特徴とする請求項１に記載の表示装置。
【請求項１３】
前記表示パネルの前記非表示領域及び前記延長部をカバーするトップシャーシーを更に含むことを特徴とする請求項１に記載の表示装置。
【請求項１４】
前記バックライトユニットは、
入光面を含む導光板と、
前記入光面に光を出射する光源、及び前記光源と電気的に連結され、前記光源が配置される回路基板を含む光源部と、
前記回路基板が結合されると共に、前記導光板を支持する収納部材と、を含むことを特徴とする請求項１に記載の表示装置。
【請求項１５】
前記導光板と前記収納部材との間に配置される反射シートを更に含むことを特徴とする請求項１４に記載の表示装置。
【請求項１６】
前記収容溝は、
前記表示パネルと接触する前記支持部の上面、及び前記支持部の上面に連結された前記延長部の側面の一部が窪んで形成され、
前記表示パネルと接触する前記ガイド部材の上面は前記支持部の上面と同一平面をなし、前記ガイド部材の側面は前記支持部の側面と同一平面をなすことを特徴とする請求項１に記載の表示装置。
【請求項１７】
前記収容溝は、前記支持部を貫通して形成されることを特徴とする請求項１に記載の表示装置。
【請求項１８】
前記収容溝と前記支持部との間に配置される追加の接着部材を更に含み、
前記追加の接着部材は、前記モールドフレームと前記支持部を付着することを特徴とする請求項１７に記載の表示装置。
【請求項１９】
表示領域、及び前記表示領域と隣接した非表示領域を含む表示パネルと、前記表示パネルの一側に連結された駆動回路を含む表示モジュールと、
前記非表示領域と重畳して前記表示モジュールを支持し、前記表示パネルに対向する収容溝を含むモールドフレームと、
前記表示パネルと結合され、リジッドなガイド部材と、を含み、
前記ガイド部材は、
前記収容溝に配置され、前記駆動回路と平面上で重畳することを特徴とする表示装置。
【請求項２０】
前記ガイド部材は、金属又はプラスチックを含むことを特徴とする請求項１９に記載の表示装置。
【請求項２１】
前記駆動回路は、
回路基板、及び前記表示パネルと前記回路基板を電気的に連結し、フレキサブルな回路フィルムを含み、
前記ガイド部材と前記回路フィルムは、前記表示パネルの異なる面に結合されることを特徴とする請求項１９に記載の表示装置。
【請求項２２】
前記ガイド部材と離隔して配置される追加のガイド部材を更に含み、
前記追加のガイド部材は、
前記駆動回路と平面上で非重畳することを特徴とする請求項１９に記載の表示装置。
【発明の詳細な説明】
【技術分野】
【０００１】
本発明は表示装置に係り、より詳しくは、信頼性が向上された表示装置に関する。
【背景技術】
【０００２】
表示装置は、ユーザに所定の情報を有する映像を提供する。表示装置の大型化傾向につれ、大型の表示装置が開発されている。表示装置が大型化されるにつれ、表示装置に使用される部材のサイズも増加しつつある。
【０００３】
最近、高解像度表示モジュールの表示パネルと駆動回路の接続方式などによって、多様な形状及び構造を有する表示モジュールが提供されている。また、表示モジュールをモールドフレームに付着する構成の必要性が高まっており、前記構成の位置及び物性に応じて表示モジュールの組立性や結合安定性が異なる。
【先行技術文献】
【特許文献】
【０００４】
【特許文献１】特開２０１４−０３８３４４号公報
【発明の概要】
【発明が解決しようとする課題】
【０００５】
よって、本発明は、表示モジュールが安定的に収容された表示装置を提供することをその目的とする。
【課題を解決するための手段】
【０００６】
本発明による表示装置は、表示領域、及び前記表示領域に隣接した非表示領域を含み、前記表示領域に配置されて映像を提供する画素を含む表示パネルと、前記表示パネルに光を提供するバックライトユニットと、前記表示パネルと前記バックライトユニットとの間に配置されて前記表示パネルを指示し、前記非表示領域と重畳する延長部、及び、前記延長部から折曲されて前記表示領域と平面上で重畳する開口部を定義し、収容溝を含む支持部を含むモールドフレームと、前記表示パネル及び前記モールドフレームとの間に配置されるガイド部材と、前記表示パネルと前記ガイド部材を付着する接着部材と、を含み、前記ガイド部材は、前記収容溝に配置され、前記接着部材に比べ相対的にリジッドである。
【０００７】
前記ガイド部材は、金属及びプラスチックのうちいずれか一つを含む。
【０００８】
前記収容溝は、前記表示パネルと接触する前記支持部の上面に定義され、前記収容溝は、前記支持部の一部が除去されて定義される。
【０００９】
断面上において、前記収容溝の形状は前記ガイド部材の形状に対応する。
【００１０】
前記ガイド部材及び前記収容溝は複数で提供され、前記収容溝は、前記開口部の縁に沿って互いに離隔して配置される。
【００１１】
前記収容溝は、前記開口部の縁を囲む閉ライン状を有する。
【００１２】
前記ガイド部材は、前記収容溝の前記閉ライン状に対応する形状で提供される。
【００１３】
前記ガイド部材は、前記表示パネルの厚さ方向に延長された第１ガイド部、及び前記第１ガイド部から折曲されて前記表示パネルと平行をなす第２ガイド部を含み、前記接着部材は、前記第２ガイド部と前記表示パネルを結合する。
【００１４】
前記収容溝の深さは、前記接着部材と前記ガイド部材の厚さの和より大きいか同じである。
【００１５】
前記ガイド部材と前記支持部を結合する追加の接着部材を更に含み、前記収容溝の深さが前記接着部材と前記ガイド部材の厚さの和より大きく、前記追加の接着部材は、接着部材と前記支持部の離隔空間の間に配置される。
【００１６】
前記ガイド部材は、断面上において多角形状を有する。
【００１７】
前記表示パネルは、互いに対向する第１基板、第２基板、及び前記第１基板と前記第２基板との間に配置される液晶層を含み、前記接着部材は、前記第２基板と前記ガイド部材を付着する。
【００１８】
前記表示パネルの前記非表示領域及び前記延長部をカバーするトップシャーシーを更に含む。
【００１９】
前記バックライトユニットは、入光面を含む導光板と、前記入光面に光を出射する光源、及び前記光源と電気的に連結され、前記光源が配置される回路基板を含む光源部と、前記回路基板が結合されると共に、前記導光板を支持する収納部材を含む。
【００２０】
前記導光板と前記収納部材との間に配置される反射シートを更に含む。
【００２１】
前記収容溝は、前記表示パネルと接触する前記支持部の上面、及び前記支持部の上面に連結された前記延長部の側面の一部が窪んで形成され、前記表示パネルと接触する前記ガイド部材の上面は前記支持部の上面と同一平面をなし、前記ガイド部材の上面から折曲されて延長された前記ガイド部材の側面は前記支持部の側面と同一平面をなす。
【００２２】
前記収容溝は、前記支持部を貫通して形成される。
【００２３】
前記収容溝と支持部との間に配置される追加の接着部材を更に含み、前記追加の接着部材は、前記モールドフレームと前記支持部を付着する。
【００２４】
本発明の一実施例による表示装置は、表示領域、及び前記表示領域と隣接した非表示領域を含む表示パネルと、前記表示パネルの一側に連結された駆動回路を含む表示モジュールと、前記非表示領域と重畳して前記表示モジュールを支持し、前記表示パネルと接触する一面の一部が除去された収容溝を含むモールドフレームと、前記表示パネルと結合され、リジッドなガイド部材と、を含み、前記ガイド部材は、前記収容溝に配置され、前記駆動回路と平面上で重畳する。
【００２５】
前記ガイド部材は、金属またはプラスチックのうちいずれか一つを含む。
【００２６】
前記駆動回路は、回路基板、及び前記表示パネルと前記回路基板を電気的に連結し、フレキサブルな回路フィルムを含み、前記ガイド部材と前記回路フィルムは、前記表示パネルの異なる面に結合される。
【００２７】
前記ガイド部材と離隔して配置される追加のガイド部材を更に含み、前記追加のガイド部材は、前記駆動回路と平面上で非重畳する。
【発明の効果】
【００２８】
本発明によると、モールドフレームと表示モジュールを結合するガイド部材、及び接着部材を含む。ガイド部材は接着部材より相対的にリジッドであり、モールドフレームと表示パネルが安定的に結合される。よって、保管の容易性及び信頼性が向上される。
【図面の簡単な説明】
【００２９】
【図１】本発明の一実施例による表示装置の斜視図である。
【図２】本発明の一実施例による表示装置の分解斜視図である。
【図３】本発明の一実施例による画素の等価回路図である。
【図４】図１に表示された表示装置のI−I’に沿って切断した断面図である。
【図５】本発明の一実施例による表示装置の一部構成の分解斜視図である。
【図６】本発明の一実施例による表示装置の一部構成の分解斜視図である。
【図７】本発明の一実施例による表示装置の一部構成の断面図である。
【図８】本発明の一実施例による表示装置の一部構成の断面図である。
【図９】本発明の一実施例による表示装置の一部構成の断面図である。
【図１０】本発明の一実施例による表示装置の一部構成の断面図である。
【図１１】本発明の一実施例による表示装置の一部構成の断面図である。
【図１２】本発明の一実施例による表示装置の一部構成の断面図である。
【図１３】図１２の一構成を拡大した拡大図である。
【図１４】本発明の一実施例による一部構成の斜視図である。
【発明を実施するための形態】
【００３０】
以下、添付した図面を参照して詳細に説明する。本発明の利点及び特徴、そしてそれらを達成する方法は、添付した図面と共に詳細に後述する実施例を参照すると明確になるはずである。しかし、本発明は以下に開示する実施例に限らず、異なる様々な形態により具現されてもよいが、本実施例は本発明の開示が完全になるようにし、本発明の属する技術分野における通常の知識を有する者に発明の範疇を完全に知らせるために提供されるものであって、本発明は特許請求の範囲によって定義される。また、明細書全体にわたって、同じ参照符号は同じ構成要素を指す。添付した図面においては、様々な相及び領域を明確に表現するために一部の構成要素のスケールを誇張するか縮小して示している。
【００３１】
図１は、本発明の一実施例による表示装置の斜視図である。図２は、本発明の一実施例による表示装置の分解斜視図である。図３は、本発明の一実施例による画素の等価回路図である。図４は、図１に示した表示装置のI−I’に沿って切断した断面図である。以下、図１乃至図４を参照して、本発明による表示装置を説明する。
【００３２】
図１を参照すると、表示装置ＤＤは表示面ＩＳにより映像を表示する。図１には、表示面ＩＳが第１方向ＤＲ１及び第１方向ＤＲ１と交差する第２方向ＤＲ２が定義する面を有することを示している。但し、これは例示的なものであって、表示装置ＤＤの表示面ＩＳは曲がった形状を有してもよい。表示装置ＤＤは、テレビジョン、モニタ、または外部の広告板のような大型電子装置をはじめ、パソコン、ノートパソコン、ＰＤＡ、カーナビゲーションユニット、ゲーム機、携帯用電子機器、及びカメラのような中小型電子装置などに使用される。また、これらは単に実施例として提示したものであって、本発明の概念から逸脱しない限り、他の電子機器に採用されてもよいことはもちろんである。
【００３３】
表示装置ＤＤの厚さ方向は、第３方向ＤＲ３である。各部材の前面（または上面）と背面（または下面）は、第３方向ＤＲ３によって区分される。しかし、第１乃至第３方向ＤＲ１、ＤＲ２、ＤＲ３が指示する方向は相対的な概念であって、他の方向に変換されてもよい。
【００３４】
図２を参照すると、表示装置ＤＤは表示モジュールＤＭ、トップシャーシーＴＣ、バックライトユニットＢＬＵ、モールドフレームＭＦ、及びガイド部材ＧＭを含む。表示モジュールＤＭは、表示パネルＤＰ及び駆動回路ＤＢを含む。
【００３５】
表示パネルＤＰには特に限らないが、例えば、有機発光表示パネル（ｏｒｇａｎｉｃ  ｌｉｇｈｔ  ｅｍｉｔｔｉｎｇ  ｄｉｓｐｌａｙ  ｐａｎｅｌ）、液晶表示パネル（ｌｉｑｕｉｄ  ｃｒｙｓｔａｌ  ｄｉｓｐｌａｙ  ｐａｎｅｌ）、プラズマ表示パネル（ｐｌａｓｍａ  ｄｉｓｐｌａｙ  ｐａｎｅｌ）、電気泳動表示パネル（ｅｌｅｃｔｒｏｐｈｏｒｅｔｉｃ  ｄｉｓｐｌａｙ  ｐａｎｅｌ）、及び電気湿潤表示パネル（ｅｌｅｃｔｒｏｗｅｔｔｉｎｇ  ｄｉｓｐｌａｙ  ｐａｎｅｌ）などが適用される。
【００３６】
表示パネルＤＰは、前面ＰＳ、背面ＰＢ、及び複数の側面Ｓ１、Ｓ３、Ｓ３、Ｓ４（以下、側面）を含む。本実施例において、前面ＰＳ、背面ＰＢ、及び側面Ｓ１、Ｓ２、Ｓ３、Ｓ４は、互いに連結されて六面体状の表示パネルＤＰを具現する。但し、これは例示的に図示したものであって、表示パネルＤＰは多様な形状を有してもよく、いずれか一つの実施例に限らない。
【００３７】
表示パネルＤＰは、前面ＰＳに映像を表示する。前面ＰＳは、表示領域ＤＡ及び非表示領域ＮＤＡを含む。表示領域ＤＡは、映像が表示される領域である。非表示領域ＮＤＡは、表示領域ＤＡに隣接する。非表示領域ＮＤＡは、表示領域ＤＡの面積及び形状を定義する。本発明による表示領域ＤＡは、表示面ＩＳに対応する。但し、これは例示的に図示したものであって、本発明の一実施例による表示パネルＤＰにおいて、非表示領域ＮＤＡは省略されてもよい。
【００３８】
側面Ｓ１、Ｓ２、Ｓ３、Ｓ４それぞれは、第３方向ＤＲ３に平行し互いに連結される。第３方向ＤＲ３は、表示パネルＤＰの厚さが定義される方向と同じ方向である。
【００３９】
第１側面Ｓ１は、第２方向ＤＲ２に延長される。第２側面Ｓ２は第２方向ＤＲ２に延長され、第１方向ＤＲ１に第１側面Ｓ１と互いに離隔して配置される。第３側面Ｓ３は、第１方向ＤＲ１に延長される。第４側面Ｓ４は第１方向ＤＲ１に延長され、第３側面Ｓ３と第２方向ＤＲ２に離隔されて配置される。第３側面Ｓ３及び第４側面Ｓ４は、第１側面Ｓ１及び第２側面Ｓ２それぞれの一端及び他端を連結する。
【００４０】
表示パネルＤＰは、第１基板ＢＳ１、第１基板ＢＳ１に対向する第２基板ＢＳ２、シール部材ＳＲ、及び第１基板ＢＳ１と第２基板ＢＳ２との間に配置された液晶層ＣＬを含む。
【００４１】
第１基板ＢＳ１の上面は、表示パネルＤＰの前面ＰＳを含む。第１基板ＢＳ１の一側には駆動回路ＤＢが配置される。第２基板ＢＳ２の下面は、表示パネルＤＰの背面ＰＢを含む。
【００４２】
シール部材ＳＲは所定の厚さを有し、第１基板ＢＳ１及び第２基板ＢＳ２との間に配置される。シール部材ＳＲは、非表示領域ＮＤＡと平面上で重畳する。
【００４３】
液晶層ＣＬは、第１基板ＢＳ１及び第２基板ＢＳ２との間に配置される。液晶層ＣＬは、シール部材ＳＲの厚さによって形成された空間に配置される。液晶層ＣＬは、電界に応じて配列状態が変更される複数の液晶分子（図示せず）を含む。図示していないが、表示パネルＤＰの上部及び下部には一対の偏光板（図示せず）が配置される。
【００４４】
駆動回路ＤＢは、回路フィルムＣＦ、駆動チップＤＩＣ、及び回路基板ＭＢを含む。駆動回路ＤＢは複数で提供され、表示パネルＤＰの一側に配列される。但し、これは例示的に図示したものであって、駆動回路ＤＢは一つの回路フィルム、一つの駆動チップ、及び一つの回路基板を含む単一の構成で提供されてもよい。
【００４５】
回路フィルムＣＦは軟性を有し、複数の回路配線（図示せず）を含む。回路フィルムＣＦは、表示パネルＤＰの前面ＰＳの一側に配置される。回路フィルムＣＦは、駆動回路ＤＢの形態に対応して多様な形態にて提供される。
【００４６】
駆動チップＤＩＣは、複数の電子素子を含む。駆動チップＤＩＣは、回路基板ＭＢ及び表示パネルＤＰと電気的に連結される。駆動チップＤＩＣは電気的信号を生成するか、受信した電気的信号を処理して回路基板ＭＢや表示パネルＤＰに電気的信号を提供する。駆動チップＤＩＣは、ＣＯＦ（Ｃｈｉｐ  Ｏｎ  Ｆｉｌｍ）の形態で回路フィルムＣＦに実装される。それによって、駆動チップＤＩＣは回路フィルムＣＦを介して表示パネルＤＰに連結される。但し、これは例示的に図示したものであって、駆動チップＤＩＣは表示パネルＤＰに直接実装されてもよい。
【００４７】
回路基板ＭＢは、回路フィルムＣＦに電気的に連結される。回路基板ＭＢは、電気的信号を生成・処理する複数の電子素子を含む。回路基板ＭＢは、回路フィルムＣＦを介して表示パネルＤＰに電気的信号を送る。回路基板ＭＢは、軟性印刷回路基板（ｆｉｌｅｘｉｂｌｅ  ｐｒｉｎｔｅｄ  ｃｉｒｃｕｉｔ  ｂｏａｒｄ、ＦＰＣＢ）で構成される。
【００４８】
表示パネルＤＰは、駆動回路ＤＢに連結された画素ＰＸを含む。図３を参照すると、画素ＰＸは、薄膜トランジスタＴＲ（以下、トランジスタ）、液晶キャパシタＣｌｃ、及びストレッジキャパシタＣｓｔを含む。液晶キャパシタＣｌｃは表示素子であり、トランジスタＴＲ及びストレッジキャパシタＣｓｔは画素駆動回路である。液晶表示パネルの動作モードに応じて、トランジスタＴＲとストレッジキャパシタＣｓｔの個数は変更されてもよい。
【００４９】
液晶キャパシタＣｌｃは、トランジスタＴＲから出力された画素電圧を充電する。液晶キャパシタＣｌｃに充電された電荷量に応じて、液晶層ＣＬに含まれた液晶ダイレクタの配列が変化する。つまり、液晶ダイレクタは液晶キャパシタの２つの電極の間に形成される電界によって制御される。液晶ダイレクタの配列に応じて、液晶層ＣＬに入射された光は透過されるか遮断される。
【００５０】
ストレッジキャパシタＣｓｔは、液晶キャパシタＣｌｃに並列に連結される。ストレッジキャパシタＣｓｔは、液晶ダイレクタの配列を一定区間維持する。
【００５１】
トップシャーシーＴＣは、表示パネルＤＰの上に配置される。トップシャーシーＴＣは、表示パネルＤＰの非表示領域ＮＤＡをカバーする。トップシャーシーＴＣは、モールドフレームＭＦをカバーする。本発明の実施例において、トップシャーシーＴＣが非表示領域ＮＤＡの全ての面をカバーすることを例に挙げて図示したが、本発明はこれに限らない。例えば、トップシャーシーＴＣは駆動回路ＤＢが配置された表示パネルＤＰの一角のみをカバーしてもよい。
【００５２】
バックライトユニットＢＬＵは、光源ユニットＬＵ、導光板ＬＧＰ、光学シートＯＳ、及び反射シートＲＳを含む。バックライトユニットＢＬＵは、表示パネルＤＰの背面ＰＢに配置される。
【００５３】
光源ユニットＬＵは、光源ＬＤ、印刷回路基板ＰＣＢ、及び収納部材ＰＱを含む。光源ＬＤは印刷回路基板ＰＣＢに実装され、印刷回路基板ＰＣＢから駆動電圧を提供される。駆動電圧を提供された光源ＬＤは、導光板ＬＧＰに光を提供する。収納部材ＰＱは、導光板ＬＧＰを支持する。収納部材ＰＱは、印刷回路基板ＰＣＢの背面に配置されて光源ＬＤから発生した熱を外部に放出する役割をする。場合によっては、収納部材ＰＱは省略されてもよい。
【００５４】
導光板ＬＧＰは、光源ＬＤから提供された光を表示パネルＤＰ側にガイドする。導光板ＬＧＰは、上面ＬＨ、下面ＬＢ、及び連結面である入光面ＬＩ、対光面ＬＳを含む。図２には、連結面のうち光源ＬＤに対向する入光面ＬＩ、及び入光面ＬＩに対向する対光面ＬＳを示している。入光面ＬＩは、光源ＬＤから光を提供される面である。上面ＬＨは、光源ＬＤから提供された光を出光する出光面である。
【００５５】
導光板ＬＧＰを構成する物質としては、通常的に使用されるものであれば特に限らない。例えば、ガラス、ポリアミド、プリメチルメタクリレート、メチルメタクリレート−スチレン、及びポリカーボネートのうち少なくともいずれか一つ以上を含むものであってもよい。
【００５６】
本発明の実施例では光源ＬＤが導光板ＬＧＰの一側面に配置されて光を提供することを一例に挙げて説明したが、これに限らない。例えば、本発明の他の実施例では、光源ＬＤは導光板ＬＧＰの一側面だけでなく、他の側面に配置されてもよい。本発明のまた他の実施例では、光源ＬＤは表示パネルＤＰの下に配置されて表示パネルＤＰに光を提供し、導光板ＬＧＰは省略されてもよい。
【００５７】
光学シートＯＳは、導光板ＬＧＰと表示パネルＤＰとの間に配置される。光学シートＯＳは、導光板ＬＧＰからガイドされた光の経路を制御する役割をする。
【００５８】
光学シートＯＳは、拡散シートＯＳ１、プリズムシートＯＳ２、及び保護シートＯＳ３を含む。拡散シートＯＳ１は光を拡散させ、プリズムシートＯＳ２は拡散シートＯＳ１から拡散された光の進行方向が表示パネルＤＰの厚さ方向に近づくように光を集光する。プリズムシートＯＳ２は、複数個のプリズムシートから提供される。保護シートは、プリズムシートを外部の衝撃から保護する。この実施例では、光学シートＯＳが拡散シートＯＳ１、プリズムシートＯＳ２、及び保護シートＯＳ３を一枚ずつ備えていることを例に挙げているが、本発明はこれに限らない。例えば、本発明の他の実施例では光学シートＯＳは拡散シートＯＳ１、プリズムシートＯＳ２、及び保護シートＯＳ３のうち少なくともいずれか一つを複数枚重ねて使用してもよく、必要に応じていずれか一つ以上のシートが省略されてもよい。
【００５９】
反射シートＲＳは、導光板ＬＧＰの下面ＬＢと収納部材ＰＱとの間に配置される。反射シートＲＳは、導光板ＬＧＰから漏洩した光を反射し、漏洩した光を導光板ＬＧＰ側へと再入射させる。但し、本発明の他の実施例において、反射シートＲＳは省略されてもよい。例えば、収納部材ＰＱの上に光反射性物質がコーティングされて代わりに反射シートＲＳの役割をしてもよい。光反射性物資としては、通常的に使用される物質であれば特に限定しない。
【００６０】
モールドフレームＭＦは、表示パネルＤＰを支持する。モールドフレームＭＦは、延長部Ｍ１及び支持部Ｍ２を含む。モールドフレームＭＦは、表示パネルＤＰ及びバックライトユニットＢＬＵとの間に配置される。図２では、モールドフレームＭＦのうち表示パネルＤＰの非表示領域ＮＤＡと重畳する領域を点線で示している。
【００６１】
延長部Ｍ１は表示パネルＤＰの厚さ方向、つまり、第３方向ＤＲ３に延長され、非表示領域ＮＤＡと重畳する。延長部Ｍ１は、トップシャーシーＴＣと接触する。延長部Ｍ１の側面は、モールドフレームＭＦの側面ＭＳを含む。
【００６２】
支持部Ｍ２は、延長部Ｍ１から折曲されて開口部ＯＰを定義し、収容溝ＨＭを含む。支持部Ｍ２は、平面上で延長部Ｍ１から非表示領域ＮＤＡで表示パネルＤＰに向かう方向に延長される。延長部Ｍ２の上面は、モールドフレームＭＦの上面ＭＵを含む。
【００６３】
モールドフレームＭＦの開口部ＯＰは、平面上で表示領域ＤＡと重畳する。よって、開口部ＯＰを介して導光板ＬＧＰから提供された光が表示パネルＤＰに伝達される。
【００６４】
収容溝ＨＭは、表示パネルＤＰの下部に付着されたガイド部材ＧＭと結合される。よって、収容溝ＨＭの形状はガイド部材ＧＭの形状に対応する。収容溝ＨＭは、モールドフレームＭＦの上面ＭＵに定義される。上面ＭＵは、表示パネルＤＰの背面ＰＢと接触する面に定義される。収容溝ＨＭは、上面ＭＵの少なくとも一部が除去されて形成される。
【００６５】
ガイド部材ＧＭは、表示パネルＤＰの背面ＰＢに配置される。ガイド部材ＧＭは、背面ＰＢのうち非表示領域ＮＤＡと重畳する領域に結合される。本発明によるガイド部材ＧＭは、リジッドである。例えば、プラスチックまたは金属のうちいずれか一つを含む。
【００６６】
接着部材ＩＬは、表示パネルＤＰの背面ＰＢとガイド部材ＧＭとの間に配置される。接着部材ＩＬは、ガイド部材ＧＭと表示パネルＤＰを接着する。接着部材ＩＬは、ポリ塩化ビニール、ポリエチレン、ポリスチレン、ポリプロピレン、ポリ塩化ビニリデンなどのような高分子樹脂のうち少なくともいずれか一つを含む粘着物質である。但し、これに限らず、接着部材ＩＬはガイド部材ＧＭと表示パネルＤＰを付着する物質であればいずれか一つに限らない。
【００６７】
本発明によるガイド部材ＧＭは、接着部材ＩＬより相対的にリジッド（ｒｉｇｉｄ）である。ガイド部材ＧＭは、収容溝ＨＭに結合されて表示パネルＤＰをモールドフレームＭＦに安定的に固定させる。表示パネルＤＰと結合されたガイド部材ＧＭが収容溝ＨＭに結合されてモールドフレームＭＦと接触することで、衝撃強度が向上された表示装置ＤＤを提供できる。
【００６８】
図５は、本発明の一実施例による表示装置の一部構成の分解斜視図である。図６は、本発明の一実施例による表示装置の一部構成の分解斜視図である。図１乃至図４と同じ構成に対して同じ参照符号を使用しており、重複する説明は省略する。説明の便宜上、表示パネルＤＰを点線で表示し、モールドフレームＭＦと分離された状態で示している。モールドフレームＭＦのうち表示パネルＤＰの非表示領域ＮＤＡと重畳する領域を点線で示している。
【００６９】
本発明による収容溝ＨＭは、複数提供される。複数提供された収容溝ＨＭ１、ＨＭ２に対応してガイド部材ＧＭが提供される。複数提供された収容溝ＨＭは、開口部ＯＰの縁に沿って互いに離隔して配置される。図５には、開口部ＯＰの角に隣接した領域に配置された収容溝ＨＭ１、ＨＭ２を示している。それぞれの収容溝ＨＭ１、ＨＭ２は、平面上で重畳するガイド部材ＧＭと結合される。
【００７０】
本発明による表示パネルＤＰはガイド部材ＧＭと結合され、ガイド部材ＧＭはモールドフレームＭＦの上面ＭＵに定義された収容溝ＨＭと結合される。よって、表示パネルＤＰはモールドフレームＭＦに安定的に結合されて、表示装置ＤＤ（図２参照）の移送、収納、保管中に発生し得る衝撃によって表示パネルＤＰに加えられる損傷を最小化する。
【００７１】
図６を参照すると、表示装置ＤＤが、例えば、移送、収納、保管中に第２方向ＤＲ２に動く第１スリップＳＨ１が発生しても、表示パネルＤＰは第１ガイド部材Ｈ１によってモールドフレームＭＦに安定的に結合される。また、第１スリップＳＨ１の方向と交差する方向に第２スリップＳＨ２が発生すれば、第２ガイド部材Ｈ２によって表示パネルＤＰはモールドフレームＭＦに安定的に結合される。
【００７２】
また、本発明による表示パネルＤＰの側面のうち、例えば、駆動回路ＤＢと隣接した側面Ｓ１、Ｓ２にはガイド部材ＧＭが結合されないことで、つまり、ガイド部材ＧＭが表示パネルＤＰの背面ＰＢに配置されることで、ガイド部材ＧＭと駆動回路ＤＢ間の干渉を未然に防止できる。
【００７３】
図７乃至図１１は、本発明の一実施例による表示装置の一部構成の断面図である。図１乃至図６と同じ構成に対して同じ参照符号を使用しており、重複する説明は省略する。
【００７４】
図７を参照すると、モールドフレームＭＦ−Ａには収容溝ＨＭ−Ａが提供される。図４とは異なって、収容溝ＨＭ−Ａの第３方向ＤＲ３における深さＴＨ１は、接着部材ＩＬ−Ａの厚さＴＨ２とガイド部材ＧＭ−Ａの厚さＴＨ３の和より大きい。本実施例によると、収容溝ＨＭ−Ａにガイド部材ＧＭ−Ａが結合されても、収容溝ＨＭ−Ａとガイド部材ＧＭ−Ａとの間に離隔空間ＴＨ４が形成される。よって、収容溝ＨＭ−Ａの上面ＨＭ−Ｕはガイド部材ＧＭ−Ａと接触せず、収容溝ＨＭ−Ａの上面ＨＭ−Ｕはガイド部材ＧＭ−Ａから露出される。
【００７５】
図８を参照すると、接着部材ＩＬ−Ｂは接着部材ＩＬ１、ＩＬ２を含む。つまり、図７とは異なって、接着部材ＩＬ−Ｂはガイド部材ＧＭ−ＢとモールドフレームＭＦ−Ｂを接着する追加の接着部材ＩＬ２を更に含む。追加の接着部材ＩＬ２は、収容溝ＨＭ−Ｂの上面ＨＭ−Ｕ（図７参照）をカバーする。追加の接着部材ＩＬ２は、図７の離隔空間ＴＨ４に対応する空間に配置されて、ガイド部材ＧＭ−ＢとモールドフレームＭＦ−Ｂを付着する。接着部材ＩＬ１、ＩＬ２によって表示パネルＤＰ−Ｂ及びモールドフレームＭＦ−Ｂが結合されることで、衝撃強度が向上された表示装置を提供できる。
【００７６】
図９を参照すると、図７の四角形状のガイド部材ＧＭ−Ａとは異なって、本実施例のガイド部材ＧＭ−Ｃは、第３方向ＤＲ３に延長された第１ガイド部Ｇ１、及び第１ガイド部Ｇ１から折曲された第２ガイド部Ｇ２を含む。本実施例による接着部材ＩＬ−Ｃは、第１ガイド部Ｇ１及び第２ガイド部Ｇ２をカバーしながら配置される。よって、接着部材ＩＬ−Ｃを介して表示パネルＤＰ−Ｃ及びガイド部材ＧＭ−Ｃが結合される。本実施例によるガイド部材ＧＭ−Ｃは、例えば、第２方向ＤＲ２への移動をより効果的に防止できるため、信頼性が向上された表示装置を提供できる。但し、これに限らず、ガイド部材ＧＭ−Ｃが配置される方向に応じて多様な方向からの移動を効果的に防止できる。
【００７７】
図１０を参照すると、本発明によるガイド部材ＧＭ−Ｄの形状は、断面上において多角形状を有する。例えば、図１０では、三角形状のガイド部材ＧＭ−Ｄを示している。モールドフレームＭＦ−Ｄには、収容溝ＨＭ−Ｄが提供される。本実施例による収容溝ＨＭ−Ｄの形状は、ガイド部材ＧＭ−Ｄに対応して三角形状を有することを示している。但し、これに限らず、多角形状のガイド部材ＧＭ−Ｄと対応するように収容溝ＨＭ−Ｄの形状が変形されてもよい。
【００７８】
図１１を参照すると、図４とは異なって、収容溝ＨＭ−Ｅは支持部Ｍ２を貫通して形成される。本発明によるガイド部材ＧＭ−Ｅは、収容溝ＨＭ−Ｅ内に配置される。ガイド部材ＧＭ−Ｅは、接着部材ＩＬ−Ｅによって表示パネルＤＰ−Ｅ及びモールドフレームＭＦ−Ｅに結合される。例えば、ガイド部材ＧＭ−Ｅは、第１接着部材ＩＬ１によって表示パネルＤＰ−Ｅと結合され、第２及び第３の接着部材ＩＬ２、ＩＬ３によってモールドフレームＭＦ−Ｅと結合される。図１１には収容溝ＨＭ−Ｅによって露出されたガイド部材ＧＭ−Ｅの端が支持部Ｍ２と同一平面をなすことを示しているが、これに限らず、ガイド部材ＧＭ−Ｅの端が支持部Ｍ２から突出してもよい。また、第２及び第３の接着部材ＩＬ２、ＩＬ３は省略されてもよく、いずれか一つの実施例に限定されない。
【００７９】
図１２は、本発明の一実施例による表示装置の一部構成の断面図である。図１３は、図１２の一構成を拡大した拡大図である。図１乃至図６と同じ構成に対して同じ参照符号を使用しており、重複する説明は省略する。
【００８０】
図１２を参照すると、本発明の一実施例によるガイド部材ＧＭ−Ｆは、第１ガイド部Ｇ１及び第２ガイド部Ｇ２を含む。第１ガイド部Ｇ１は第３方向ＤＲ３に延長され、ガイド部材ＧＭ−Ｆの側面ＧＳを含む。
【００８１】
第２ガイド部Ｇ２は、第１ガイド部Ｇ１から第２方向ＧＲ２に沿って折曲される。第２ガイド部Ｇ２の上面は、ガイド部材ＧＭ−Ｆの上面ＧＵを含む。第２ガイド部Ｇ２の一部は、表示パネルＤＰ−Ｆから露出される。
【００８２】
一実施例によるガイド部材ＧＭ−Ｆの上面ＧＵはモールドフレームＭＦ−Ｆの上面ＭＵと同一平面をなし、ガイド部材ＧＭ−Ｆの側面ＧＳはモールドフレームＭＦ−Ｆの側面ＧＳと同一平面をなす。
【００８３】
図１３を参照すると、収容溝ＨＭ−Ｆはガイド部材ＧＭ−Ｆに対応する形状を有するように形成される。例えば、収容溝ＨＭ−Ｆは、ガイド部材ＧＭ−Ｆの角に沿って形成された、支持部Ｍ２の上面ＭＵ及び延長部Ｍ１の側面ＭＳの一部をリセスさせることで形成される。
【００８４】
第１の接着部材ＩＬ１によって表示パネルＤＰ−Ｆとガイド部材ＧＭ−Ｆが結合される。第１の接着部材ＩＬ１は、ガイド部材ＧＭ−Ｆの上面ＧＵのうち表示パネルＤＰ−Ｆによってカバーされた領域に配置される。第２の接着部材ＩＬ２によってガイド部材ＧＭ−Ｆは収容溝ＨＭ−Ｆに結合される。よって、接着部材ＩＬ−Ｆによって表示パネルＤＰ−ＦとモールドフレームＭＦ−Ｆが結合される。
【００８５】
図１４は、本発明の一実施例による一部構成の斜視図である。図１乃至図６と同じ構成に対して同じ参照符号を使用しており、重複する説明は省略する。
【００８６】
本発明の一実施例による収容溝ＨＭ−１の形状は、開口部ＯＰの縁を囲む閉ライン（ｃｌｏｓｅｄ  ｌｉｎｅ）状を有する。収容溝ＨＭ−１は、非表示領域ＮＤＡと重畳する。
【００８７】
一実施例によるガイド部材ＧＭ−１の形状は、収容溝ＨＭ−１の閉ライン状に対応する形状に提供される。よって、表示装置ＤＤ（図１参照）の移送、収納、保管中に発生し得るスリップをより効果的に防止でき、信頼性の向上された表示装置ＤＤを提供できる。
【００８８】
これまで本発明の好ましい実施例を参照して説明したが、該当技術分野における熟練した当業者または該当技術分野における通常の知識を有する者であれば、後述する特許請求の範囲に記載された本発明の思想及び技術領域から逸脱しない範囲内で本発明を多様に修正及び変更し得ることを理解できるはずである。
【００８９】
よって、本発明の技術的範囲は明細書の詳細な説明に記載されている内容に限らず、特許請求の範囲によって決められるべきである。
【符号の説明】
【００９０】
ＢＬＵ  バックライトユニット
ＢＳ１  第１基板
ＢＳ２  第２基板
ＣＦ  回路フィルム
ＣＬ  液晶層
ＣＬｃ  液晶キャパシタ
Ｃｓｔ  ストレッジキャパシタ
ＤＡ  表示領域
ＤＢ  駆動回路
ＤＤ  表示装置
ＤＩＣ  駆動チップ
ＤＭ  表示モジュール
ＤＰ、ＤＰ−Ａ、ＤＰ−Ｂ、ＤＰ−Ｃ、ＤＰ−Ｄ、ＤＰ−Ｅ、ＤＰ−Ｆ  表示パネル
Ｇ１  第１ガイド部
Ｇ２  第２ガイド部
ＧＭ、ＧＭ−１、ＧＭ−Ａ、ＧＭ−Ｂ、ＧＭ−Ｃ、ＧＭ−Ｄ、ＧＭ−Ｅ、ＧＭ−Ｆ  ガイド部材
ＧＳ、ＭＳ、Ｓ１、Ｓ２、Ｓ３、Ｓ４  側面
ＧＵ、ＨＭ−Ｕ、ＬＨ、ＭＵ  上面
Ｈ１  第１ガイド部材
Ｈ２  第２ガイド部材
ＨＭ、ＨＭ１、ＨＭ２、ＨＭ−１、ＨＭ−Ａ、ＨＭ−Ｂ、ＨＭ−Ｃ、ＨＭ−Ｄ、ＨＭ−Ｅ、ＨＭ−Ｆ  収容溝
ＩＬ、ＩＬ１、ＩＬ２、ＩＬ３、ＩＬ−Ａ、ＩＬ−Ｂ、ＩＬ−Ｃ、ＩＬ−Ｄ、ＩＬ−Ｅ、ＩＬ−Ｆ  接着部材
ＩＳ  表示面
Ｌ１  入光面
ＬＢ  下面
ＬＤ  光源
ＬＧＰ  導光板
ＬＳ  対光面
ＬＵ  光源ユニット
Ｍ１  延長部
Ｍ２  支持部
ＭＢ  回路基板
ＭＦ、ＭＦ−１、ＭＦ−Ａ、ＭＦ−Ｂ、ＭＦ−Ｃ、ＭＦ−Ｄ、ＭＦ−Ｅ、ＭＦ−Ｆ  モールドフレーム
ＮＤＡ  非表示領域
ＯＰ  開口部
ＯＳ  光学シート
ＯＳ１  拡散シート
ＯＳ２  プリズムシート
ＯＳ３  保護シート
ＰＢ  背面
ＰＣＢ  印刷回路基板
ＰＳ  前面
ＰＱ  収納部材
ＰＸ  画素
ＲＳ  反射シート
ＳＨ１  第１スリップ
ＳＨ２  第２スリップ
ＳＲ  シール部材
ＴＣ  トップシャーシー
ＴＲ  トランジスタ
【図１】
2019194681.tif 000003
【図２】
2019194681.tif 000004
【図３】
2019194681.tif 000005
【図４】
2019194681.tif 000006
【図５】
2019194681.tif 000007
【図６】
2019194681.tif 000008
【図７】
2019194681.tif 000009
【図８】
2019194681.tif 000010
【図９】
2019194681.tif 000011
【図１０】
2019194681.tif 000012
【図１１】
2019194681.tif 000013
【図１２】
2019194681.tif 000014
【図１３】
2019194681.tif 000015
【図１４】
2019194681.tif 000016